(57)【要約】【課題】ＳＳＩＤ、暗号化等の無線部の設定やこれらを含めたネットワーク設定を容易に行うことができるルータ装置などの無線装置及び無線端末装置を提供することを目的とする【解決手段】複数の端末装置と無線により通信可能な無線装置であって、端末装置と有線により通信するための有線インターフェイスと、有線インターフェイスに接続された端末装置から端末装置の固有アドレスを含む送信パケットを受信すると記固有アドレスの端末装置に対して、無線設定情報及び／若しくはネットワーク設定情報を送信する設定モードを制御する制御手段とを有する。【選択図】  図８
2004320410.tif 000002
【特許請求の範囲】
【請求項１】
複数の端末装置と無線により通信可能な無線装置であって、
前記端末装置と有線により通信するための有線インターフェイスと、
前記有線インターフェイスに接続された前記端末装置から該端末装置の固有アドレスを含む送信パケットを受信すると、前記固有アドレスの端末装置に対して、無線設定情報及び／若しくはネットワーク設定情報を送信する設定モードを制御する制御手段とを有することを特徴とする無線装置。
【請求項２】
前記制御手段は、
前記端末装置から受信した固有アドレスに基づいて、無線設定情報及び／若しくはネットワーク設定情報を送信するか否かの判定を行い、前記固有アドレスの端末装置に対して、前記判定に基づいた設定情報を送信することを特徴とする請求項１に記載の無線装置。
【請求項３】
表示手段を備え、
前記制御手段は、
前記無線設定情報及び／若しくはネットワーク設定情報の送信が終了したことを前記表示手段に表示することを特徴とする請求項１又は請求項２に記載の無線装置。
【請求項４】
前記有線インターフェイスは、前記設定モードとしての動作を行うための専用のインターフェイスであることを特徴とする請求項１から請求項３にいずれか記載の無線装置。
【請求項５】
前記有線インターフェイスは、前記設定モードとしての動作と、ネットワークインターフェイスとしての動作との切り替えが可能であることを特徴とする請求項１から請求項４にいずれか記載の無線装置。
【請求項６】
前記無線装置は、ルータ装置であり、
前記ネットワークインターフェイスは、有線ＬＡＮインターフェイスであることを特徴とする請求項５に記載の無線装置。
【請求項７】
前記切り替えは、機械的スイッチで行うことを特徴とする請求項５又は請求項６に記載の無線装置。
【請求項８】
前記制御手段は、
前記送信パケットに所定の固有アドレスが含まれる場合には、無線設定情報のみ送信し、ネットワーク設定情報を送信しないよう制御されることを特徴とする請求項５から請求項７にいずれか記載の無線装置。
【請求項９】
前記無線設定情報は、暗号化情報及びＩＤ情報であることを特徴とする請求項１から請求項８にいずれか記載の無線装置。
【請求項１０】
前記制御手段は、
前記暗号化情報及び／又はＩＤ情報を、自己の固有アドレスに基づいて、自動生成することを特徴とする請求項９に記載の無線装置。
【請求項１１】
前記制御手段は、
前記端末装置に、前記無線設定情報及び／若しくは前記ネットワーク設定情報を送信するとともに、該送信した情報を前記端末の固有アドレス記憶手段に記憶することを特徴とする請求項１から請求項１０にいずれか記載の無線装置。
【請求項１２】
前記制御手段は、
前記記憶手段に記憶した固有アドレスの端末装置のみ無線通信を行うことを特徴とする請求項１０に記載の無線装置。
【請求項１３】
前記制御手段は、
前記記憶手段に前記固有アドレスに対応する通信品質レベルを記憶し、該通信品質レベルに従って端末装置と通信することを特徴とする請求項１１又は請求項１２に記載の無線装置。
【請求項１４】
無線通信を行うための無線通信制御手段と、
有線インターフェイスを介して、有線通信を行うための有線通信制御手段と、
電源が投入されたとき、若しくは有線インターフェイスにネットワークや他の端末装置が接続されたときに、所定間隔で自己の固有アドレスを前記ネットワーク若しくは前記他の端末装置にブロードキャストし、その後、ネットワーク又は前記端末装置から送信される無線設定情報を受信すると、該無線設定情報を記憶手段に記憶する第１の制御手段とを有することを特徴とする無線端末装置。
【請求項１５】
前記第１の制御手段は、前記無線設定情報を記憶手段に記憶した後、前記ネットワークに対し、前記無線設定情報をブロードキャストすることを特徴とする請求項１４に記載の無線端末装置。
【請求項１６】
前記第１の制御手段は、前記無線設定情報に加え、ネットワーク設定情報を受信すると、前記前記無線設定情報に加え、ネットワーク設定情報を前記記憶手段に記憶することを特徴とする請求項１４に記載の無線端末装置。
【請求項１７】
前記第１の制御手段は、前記無線設定情報ネットワーク設定情報を記憶手段に記憶した後、前記ネットワークに対し、前記無線設定情報及びネットワーク設定情報をブロードキャストすることを特徴とする請求項１６に記載の無線端末装置。
【請求項１８】
前記有線インターフェイスの動作を切り替える切替手段が設けられ、
前記切替手段を切り替えることにより、第１の制御手段としての動作を行うことを特徴とする請求項１４から請求項１７にいずれか記載の無線装置。
【請求項１９】
前記切替手段は、機械的スイッチで行うことを特徴とする請求項１８に記載の無線装置。
【請求項２０】
前記有線インターフェイスは、有線ＬＡＮインターフェイスであることを特徴とする請求項１４から請求項１９にいずれか記載の無線端末装置。
【請求項２１】
前記無線通信制御手段は、前記記憶手段に記憶された無線設定情報に従って、無線通信を行うことを特徴とする請求項１４から請求項２０にいずれか記載の無線端末装置。
【請求項２２】
請求項１から請求項１３にいずれか記載の無線装置と、請求項１４から請求項２０にいずれか記載の無線端末装置と、からなる無線システム。
【発明の詳細な説明】
【０００１】
【発明の属する技術分野】
本発明は、ＬＡＮなどのネットワークにおいて使用される（無線装置間の無線通信条件を自動設定することができる）無線装置及び無線端末装置に関するものである。
【０００２】
【従来の技術】
近年、ＬＡＮを用いたネットワークシステムの構築が一般的になってきている。
【０００３】
通常、ＬＡＮに端末装置を接続するためには、ＩＰアドレス等の設定が必要であるが、設定に際しては、ネットワークに関しての専門的な知識を必要とするため、利用者が容易に設定することは困難な場合が多い。そのため、ＩＰプロトコルには、端末装置をネットワークに接続するだけでＩＰアドレスを設定し一括管理を行う方法を取ることができるＤＨＣＰ（Ｄｙｎａｍｉｃ    Ｈｏｓｔ    Ｃｏｎｆｉｇｕｒａｔｉｏｎ  Ｐｒｏｔｏｃｏｌ）という機能がある。このＤＨＣＰには、ＢＯＯＴＰと同様に端末装置に永続的に自動割り当てるモード、限定された期間だけ又は端末装置が開放するまでＩＰアドレスを割り当てるモード等がある。例えば、複数の端末装置とルータ装置によりプライベートネットワークを構成する場合、ルータ装置をＤＨＣＰサーバとして、複数の端末装置をそれぞれＤＨＣＰクライアントとして構成することにより、ルータ装置に端末装置を接続する際に端末装置からＤＨＣＰ発見パケットを送信することによりＩＰアドレス、サブネットマスク及びＤＮＳサーバのアドレスなどをルータ装置から設定することができる。（例えば、特許文献１参照）
【０００４】
【特許文献１】
特開２０００−９２１０７号公報
【０００５】
【発明が解決しようとする課題】
しかしながら、ＤＨＣＰによるＩＰアドレス等の自動設定動作は、ハブやルータを介して、ＤＨＣＰサーバにアクセスすることにより行われるため、端末装置が、無線ＬＡＮなどの機能を有する無線端末装置である場合には、ＳＳＩＤや暗号化等の条件がルータ装置などのアクセスポイントのものと異なると、アクセスポイントとの通信を行うことができない。従って、まず無線端末装置の利用者が、無線ルータ装置などの無線アクセスポイントに設定されたＳＳＩＤや暗号化の設定内容を調べ、無線端末装置にその設定内容と同一のＳＳＩＤや暗号化を設定する必要があるが、ネットワークに関しての専門的な知識を必要とするため、利用者が容易に設定することは困難な場合が多い。
【０００６】
本発明は、上記従来の課題に鑑み、ＳＳＩＤ、暗号化等の無線部の設定やこれらを含めたネットワーク設定を容易に行うことができるルータ装置などの無線装置及び無線端末装置を提供することを目的とする。
【０００７】
【課題を解決するための手段】
本発明は上記従来の課題を解決するために、複数の端末装置と無線により通信可能な無線装置であって、端末装置と有線により通信するための有線インターフェイスと、有線インターフェイスに接続された端末装置から端末装置の固有アドレスを含む送信パケットを受信すると記固有アドレスの端末装置に対して、無線設定情報及び／若しくはネットワーク設定情報を送信する設定モードを制御する制御手段とを有することとしたので、ＳＳＩＤ、暗号化等の無線部の設定やこれらを含めたネットワーク設定を容易に行うことができるルータ装置などの無線装置及び無線端末装置を提供することができるようになった。
【０００８】
【発明の実施の形態】
本発明の請求項１に記載の発明は、複数の端末装置と無線により通信可能な無線装置であって、前記端末装置と有線により通信するための有線インターフェイスと、前記有線インターフェイスに接続された前記端末装置から該端末装置の固有アドレスを含む送信パケットを受信すると、前記固有アドレスの端末装置に対して、無線設定情報及び／若しくはネットワーク設定情報を送信する設定モードを制御する制御手段とを有することを特徴とするものであり、ＳＳＩＤ、暗号化等の無線部の設定やこれらを含めたネットワーク設定を容易に行うことができるルータ装置などの無線装置を提供することができるという作用を有する。また、有線インターフェイスを介しての無線設定情報のやり取りを行うため、無線信号のように外部に傍受されることを防ぐことが可能となる。
【０００９】
本発明の請求項２に記載の発明は、請求項１に記載の発明において、制御手段は、端末装置から受信した固有アドレスに基づいて、無線設定情報及び／若しくはネットワーク設定情報を送信するか否かの判定を行い、固有アドレスの端末装置に対して、判定に基づいた設定情報を送信することを特徴とするものであり、無線端末装置の種類によって適切な設定情報を送信することができ、無駄な処理や端末装置に不要なデータが流れることを防ぐことができるという作用を有する。
【００１０】
本発明の請求項３に記載の発明は、請求項１もしくは請求項２に記載の発明において、表示手段を備え、制御手段は、無線設定情報及び／若しくはネットワーク設定情報の送信が終了したことを表示手段に表示することを特徴とするものであり、終了したことがことを利用者が容易に理解することができるため、ネットワークに接続する端末装置が自動設定できるものかどうか、及び自動設定されたかどうかを容易に認識することができるという作用を有する。
【００１１】
本発明の請求項４に記載の発明は、請求項１から請求項３のいずれか１に記載の発明において、有線インターフェイスは、設定モードとしての動作を行うための専用のインターフェイスであることを特徴とすることを特徴とするものであり、専用のインターフェイスとしたから、通常のＬＡＮ通信動作との切り替えも不要であり、構成が容易となるという作用を有する。
【００１２】
本発明の請求項５に記載の発明は、請求項１から請求項４のいずれか１に記載の発明において、前記有線インターフェイスは、前記設定モードとしての動作と、ネットワークインターフェイスとしての動作との切り替えが可能であることを特徴とするものであり、一つの有線インターフェイスを２つのモードで動作させることができるため、ハードウェアのコストやインターフェイスのスペースを最小限にとどめることができるという作用を有する。
【００１３】
本発明の請求項６に記載の発明は、請求項５に記載の発明において、無線装置は、ルータ装置であり、ネットワークインターフェイスは、有線ＬＡＮインターフェイスであることを特徴とするものであり、ＳＳＩＤ、暗号化等の無線部の設定やこれらを含めたネットワーク設定を容易に行うことができるルータ装置を提供することができるという作用を有する。
【００１４】
本発明の請求項７に記載の発明は、請求項１または請求項２に記載の発明において、切り替えは、機械的スイッチで行うこことを特徴とするものであり、有線インターフェイスの動作モードの切り替えを容易に行うことができるという作用を有する。
【００１５】
本発明の請求項８に記載の発明は、請求項５から請求項７のいずれか１に記載の発明において、制御手段は、送信パケットに所定の固有アドレスが含まれる場合には、無線設定情報のみ送信し、ネットワーク設定情報を送信しないよう制御されることを特徴とするものであり、無線端末装置の種類によって適切な設定情報を送信することができ、無駄な処理を不要とするのみならず、無駄なＩＰアドレス、ポート番号等の割当てを行うことがないため、セキュリティ面でも優れるという作用を有する。
【００１６】
本発明の請求項９に記載の発明は、請求項１から請求項８のいずれか１に記載の発明において、無線設定情報は、暗号化情報及びＩＤ情報であることを特徴とするものであり、第三者が勝手にアクセスしないように暗号化等を行うにもかかわらず、無線設定情報の自動設定を無線通信で行うとすればと傍受されて悪用される可能性のあるが、有線インターフェイスを介しての無線設定情報のやり取りを行うため、外部に傍受されることを防ぐことが可能となるという作用を有する。
【００１７】
本発明の請求項１０に記載の発明は、請求項９に記載の発明において、制御手段は、暗号化情報及び／又はＩＤ情報を、自己（無線装置）の固有アドレスに基づいて、自動生成することを特徴とするものであり、ＭＡＣアドレスなどの固有アドレスは、ユニークなアドレスであるため、無線装置毎に異なるＳＳＩＤや暗号化コード等を自動生成することができ、複数の無線装置が隣接して配置されている場合であっても、一方の無線装置で自動設定された無線端末装置は、他方の無線装置と通信することはないため、無線装置が複数の利用者に各々使用されている場合であっても、無線端末装置が、他の利用者の無線装置に接続されてしまうといった問題を回避することができるという作用を有する。
【００１８】
本発明の請求項１１に記載の発明は、請求項１から請求項１０のいずれか１に記載の発明において、制御手段は、端末装置に、無線設定情報及び／若しくは前記ネットワーク設定情報を送信するとともに、送信した情報を前記端末の固有アドレス記憶手段に記憶することを特徴とするものであり、無線端末装置と通信を行うときは、記憶手段に記憶されている内容に従って行うことができるという作用を有する。
【００１９】
本発明の請求項１１に記載の発明は、請求項１０に記載の発明において、制御手段は、記憶手段に記憶した固有アドレスの端末装置のみ無線通信を行うことを特徴とするものであり、記憶手段に記憶した端末装置以外の装置は、ＳＳＩＤや暗号情報が同じであっても無線装置にアクセスすることができないから、セキュリティ上において優れているという作用を有する。
【００２０】
本発明の請求項１３に記載の発明は、請求項１２または請求項１３に記載の発明において、制御手段は、記憶手段に固有アドレスに対応する通信品質レベルを記憶し、通信品質レベルに従って端末装置と通信することを特徴とするものであり、固有アドレスごとに通信品質レベルが割当てられて無線通信を行うから、画像を送受信する装置、音声を送受信する装置、文字のみ送受信する装置等、それぞれの端末装置に対応した適切な通信を行うことができるという作用を有する。
【００２１】
本発明の請求項１４に記載の発明は、無線通信を行うための無線通信制御手段と、有線インターフェイスを介して、有線通信を行うための有線通信制御手段と、電源が投入されたとき、若しくは有線インターフェイスにネットワークや他の端末装置が接続されたときに、所定間隔で自己の固有アドレスをネットワーク若しくは他の端末装置にブロードキャストし、その後、ネットワーク又は前記端末装置から送信される無線設定情報を受信すると、無線設定情報を記憶手段に記憶する第１の制御手段と有することを特徴とするものであり、ＳＳＩＤ、暗号化等の無線部の設定やこれらを含めたネットワーク設定を容易に行うことができるルータ装置などの無線装置を提供することができるという作用を有する。また、有線インターフェイスを介しての無線設定情報のやり取りを行うため、無線信号のように外部に傍受されることを防ぐことが可能となる
本発明の請求項１５に記載の発明は、請求項１４に記載の発明において、第１の制御手段は、無線設定情報を記憶手段に記憶した後、ネットワークに対し、無線設定情報をブロードキャストすることを特徴とするものであり、無線設定情報を受信したことをネットワークに対して送信するため、無線設定情報を含むパケットを受信したこと及びどのような設定情報を受信したかをネットワークに接続された装置に通知できるという作用を有する。
【００２２】
本発明の請求項１６に記載の発明は、請求項１４に記載の発明において、第１の制御手段は、無線設定情報に加え、ネットワーク設定情報を受信すると、前記無線設定情報に加え、ネットワーク設定情報を記憶手段に記憶することを特徴とするものであり、無線設定情報の自動設定のみならず、ＩＰアドレス等のネットワークの設定情報も自動設定することができるという作用を有する。
【００２３】
本発明の請求項１７に記載の発明は、請求項１６に記載の発明において、第１の制御手段は、無線設定情報ネットワーク設定情報を記憶手段に記憶した後、ネットワークに対し、前記無線設定情報及びネットワーク設定情報をブロードキャストすることを特徴とする請求項１６に記載の無線端末装置。ことを特徴とするものであり、無線設定情報及びネットワーク設定情報を受信したことをネットワークに対して送信するため、無線設定情報及びネットワーク設定情報を含むパケットを受信したこと及びどのような設定情報を受信したかをネットワークに接続された装置に通知できるという作用を有する。
【００２４】
本発明の請求項１８に記載の発明は、請求項１４から請求項１７のいずれか１に記載の発明において、有線インターフェイスの動作を切り替える切替手段が設けられ、切替手段を切り替えることにより、第１の制御手段としての動作を行うことを特徴とするものであり、一つの有線インターフェイスを２つのモードで動作させることができるため、ハードウェアのコストやインターフェイスのスペースを最小限にとどめることができるという作用を有する。
【００２５】
本発明の請求項１９に記載の発明は、請求項１８に記載の発明において、切替手段は、機械的スイッチで行うことを特徴とするものであり、有線インターフェイスの動作モードの切り替えを容易に行うことができるという作用を有する。
【００２６】
本発明の請求項２０に記載の発明は、請求項１４から請求項１９のいずれか１に記載の発明において、有線インターフェイスは、有線ＬＡＮインターフェイスであることを特徴とするものであり、ＳＳＩＤ、暗号化等の無線部の設定やこれらを含めたネットワーク設定を容易に行うことができるＬＡＮネットワークにおける無線端末装置を提供することができるという作用を有する。
【００２７】
本発明の請求項２２に記載の発明は、請求項１４から請求項２０のいずれか１に記載の発明において、無線通信制御手段は、記憶手段に記憶された無線設定情報に従って、無線通信を行うことを特徴とするものであり、無線装置等と通信を行うときは、記憶手段に記憶されている内容に従って行うことができるという作用を有する。
【００２８】
以下、本発明の実施の形態について、図面を参照しながら説明する。
【００２９】
（実施の形態１）
図１は、本発明の実施の形態１における無線システムの構成図、図２は本発明の実施の形態１におけるルータ装置の内部構成図、図３は本発明の実施の形態１における無線アダプタ装置の構成図、図４は本発明の実施の形態１における無線画像サーバ装置の構成図、図５は本発明の実施の形態１におけるルータ装置と無線アダプタ装置（若しくは無線画像サーバ）との間で設定情報を自動設定する際の接続図、図６は本発明の実施の形態１における自動設定のために用いられる送信パケットの構成を示す図、図７は本発明の実施の形態１における無線画像サーバ装置の設定情報の自動設定動作を示すシーケンスチャート、図８は本発明の実施の形態１における無線アダプタ装置の設定情報の自動設定動作を示すシーケンスチャート、図９は本発明の実施の形態１におけるルータ装置の記憶手段に記憶されるネットワーク設定情報の内容を示す図、図１０、図１１、図１２は本発明の実施の形態１におけるルータ装置の自動設定モード時の動作のフローチャート、図１３は本発明の実施の形態１における無線画像サーバ装置の自動設定モード時の動作のフローチャートである。
【００３０】
図１において、１０はルータ装置（本発明の無線装置）、２０はルータ装置１０との間で、無線プロトコル（ＩＥＥＥ８０２．１１ｂなどの規格に準拠したプロトコル。以下同じ）により通信リンクを確立し、その通信リンク上でＵＤＰやＴＣＰ／ＩＰプロトコルによるデータ通信が可能なネットワークカメラなどの無線画像サーバ装置（本発明の無線端末装置）、３０はルータ装置１０とコンピュータ装置５０（若しくは有線画像サーバ装置４０）と間の通信を中継する無線アダプタ装置（本発明の無線端末装置）であり、ルータ装置１０との間では、無線プロトコルにより通信リンクを確立し、その通信リンク上でＴＣＰ／ＩＰプロトコルなどによるデータ通信を行い、一方、コンピュータ装置５０や有線画像サーバ装置４０との間では１００ＢＡＳＥ−Ｔなどの有線ケーブルを介してＴＣＰ／ＩＰプロトコルなどによるデータ通信を行う。
【００３１】
４０はイーサーネットなどにより有線でＵＤＰやＴＣＰ／ＩＰプロトコルによるデータ通信が可能なネットワークカメラなどの有線画像サーバ装置、５０はブラウザを搭載し、イーサーネットなどにより有線でＵＤＰやＴＣＰ／ＩＰプロトコルによるデータ通信が可能なパーソナルコンピュータなどのコンピュータ装置である。
【００３２】
ここで、有線画像サーバ装置４０やコンピュータ装置５０は、有線ＬＡＮ等に接続可能な有線インターフェイスを有し、ルータ装置１０や無線アダプタ装置３０に接続可能である。
【００３３】
なお、有線画像サーバ装置４０及び無線画像サーバ装置２０は、インターネットやローカルネットワークからのアクセスに対し、撮像手段で撮像した画像データやその画像データを含むＷｅｂページを送信する機能を有する。また、無線画像サーバ装置２０や無線アダプタ装置を含め、以下、無線端末装置と呼ぶこととする。
【００３４】
図２において、１１ａ〜１１ｄはプライベートネットワークを構成する端末装置との通信を行うための有線ＬＡＮインターフェイスであり、ＩＥＥＥ８０２．３（ＣＳＭＡ／ＣＤ）等のＬＡＮ規格に適合し、１００ＢＡＳＥ−Ｔなどのケーブルを接続可能なインターフェイス、１２はインターネットなどの外部ネットワークとの通信を行うためのＷＡＮインターフェイスであり、イーサーネットやＩＥＥＥ８０２．３（ＣＳＭＡ／ＣＤ）等のＬＡＮ規格に適合し、１００ＢＡＳＥ−Ｔなどのケーブルを接続可能なインターフェイスである。なお、ＷＡＮインターフェイス１２は、ＬＡＮ規格に適合するもの以外のＡＤＳＬやＩＳＤＮに通信可能なインターフェイスであってもよい。また、ルータ装置１０は、ＷＡＮインターフェイス１２で受信されたパケットを、ポートフォワード機能等により有線ＬＡＮインターフェイス１１に接続された端末装置に転送したり、逆に端末装置から送信されるパケットを、ＮＡＴ機能によりＩＰアドレスを変換して外部ネットワークに転送したりすることができる。また、有線ＬＡＮインターフェイス１１に接続された端末装置はプライベートネットワークを構成し、ローカルＩＰアドレスを用いて各端末間で通信が可能である。なお、ポートフォワード機能は、後述の自動設定により設定されたポート番号を用いて行われる。
【００３５】
１３はプライベートネットワークを構成する端末装置との通信を行うための無線ＬＡＮインターフェイスを有し、イーサーネットやＩＥＥＥ８０２．１１等の無線ＬＡＮ規格に適合し、端末装置と無線で通信を行う無線手段である。
【００３６】
１４は制御プログラムや各種設定情報を記憶する記憶手段であり、各端末装置のネットワーク設定情報や無線設定情報なども記憶する。
【００３７】
１５はＬＣＤやＬＥＤなどの表示手段、１６は無線装置全体を制御する制御手段、１７は後述の自動設定モード及び通常のＬＡＮ動作モードとの切り替えを行うための切替スイッチである。
【００３８】
なお、制御手段１６は、端末装置との間で、無線プロトコルにより通信リンクを接続するとともに、その通信リンク上でＵＤＰやＴＣＰ／ＩＰプロトコルによるデータ通信を行う。
【００３９】
図３において、３１はルータ装置１０との無線プロトコルによる通信を行うための無線ＬＡＮインターフェイスを有し、ＩＥＥＥ８０２．１１等の無線ＬＡＮ規格に適合した形で、端末装置と無線で通信リンクの接続を行う無線送受信手段である。
【００４０】
３２は無線送受信手段を制御する無線制御手段、３３は無線送受信手段３１に接続され、無線信号の送受信を行うためのアンテナ（空中線）、３４は無線装置１０、コンピュータ装置５０や有線画像サーバ装置４０との通信を行うための有線ＬＡＮインターフェイスであり、ＩＥＥＥ８０２．３（ＣＳＭＡ／ＣＤ）等のＬＡＮ規格に適合し、１００ＢＡＳＥ−Ｔなどのケーブルを接続可能なインターフェイス、３５は各種設定を記憶する記憶手段である。
【００４１】
３６は後述の自動設定モード、手動設定モード及び通常のＬＡＮ動作モードとの切り替えを行うための切替スイッチである。ここで、切替スイッチ３６はメカニカルスイッチのみならず、ＬＡＮインターフェイスを介して、ソフト的に切り替えるスイッチでもよい。
【００４２】
３７は無線制御手段３２を制御して、ルータ装置１０との無線通信リンクを接続するとともに、ＵＤＰやＴＣＰ／ＩＰプロトコルでルータ装置１０を介して他の端末装置などとの通信を行うことができるように制御したり、有線ＬＡＮインターフェイス３４を介して、コンピュータ装置５０等とＵＤＰやＴＣＰ／ＩＰプロトコルでの通信を行ったりする等の無線端末装置３０全体を制御する制御手段である。
【００４３】
３７ａは切替スイッチ３６により無線端末装置３０が自動設定モードに場合、有線ＬＡＮインターフェイス３４を介してルータ装置１０からＳＳＩＤや暗号化情報などの各種の無線設定情報を受信し、この無線設定情報を記憶手段３５に記憶する等の自動設定モードの動作制御を行う自動設定制御手段である。
【００４４】
３７ｂは、切り替えスイッチ３６により無線端末装置３０が手動設定モードに場合において、手動設定モードの動作を行う手動設定制御手段である。手動設定制御手段は、無線端末装置３０にコンピュータ装置５０が接続された状態で、コンピュータ装置５０の利用者の操作により、有線ＬＡＮインターフェイス３４を介して無線端末装置３０にアクセスがあると、記憶手段から手動設定用のＷｅｂページを取り出し、コンピュータ装置５０に送信する。また、送信したＷｅｂページ（コンピュータ装置５０の表示画面に表示される）上で、コンピュータ装置５０の利用者が、ＳＳＩＤや暗号化情報などの各種の無線設定情報が設定したときに、コンピュータ装置５０から送信されるこの無線設定情報を受信し、記憶手段に記憶する。
【００４５】
図４において、２１はプライベートネットワークを構成するルータ装置１０との通信を行うための無線ＬＡＮインターフェイスを有し、ＩＥＥＥ８０２．１１等の規格等の無線ＬＡＮ規格に適合した形で、ルータ装置１０との通信リンクの接続を用いて行う無線送受信手段である。ここで、ルータ装置１０との通信は、有線ＬＡＮインターフェイス２４を通じても、無線送受信手段を通じても行うことができ、ユーザーの設定により、若しくは有線ＬＡＮインターフェイス２４がルータ装置１０に接続されている場合には、この有線ＬＡＮインターフェイス２４を介しての通信を優先し、ルータ装置１０に有線ＬＡＮインターフェイス２４が接続されていなければ、無線送受信手段での通信を優先させるようにしてもよい。
【００４６】
２２は無線送受信手段２１を制御する無線制御手段、２３は無線送受信手段２１に接続され、無線信号の送受信を行うためのアンテナ（空中線）、２４はルータ装置１０との通信を行うための有線ＬＡＮインターフェイス２４であり、ＩＥＥＥ８０２．３（ＣＳＭＡ／ＣＤ）等のＬＡＮ規格に適合し、１００ＢＡＳＥ−Ｔなどのケーブルを接続可能なインターフェイス、２５は各種設定を記憶する記憶手段である。
【００４７】
２６は後述の自動設定モード、手動設定モード及び通常のＬＡＮ動作モードとの切り替えを行うための切替スイッチである。ここで、切替スイッチ２６はメカニカルスイッチのみならず、ＬＡＮインターフェイスを介して、ソフト的な切り替えるスイッチでもよい。
【００４８】
２７は無線制御手段２２を制御して、ルータ装置１０との無線通信リンクを接続するとともに、ＴＣＰ／ＩＰプロトコルでルータ装置１０を介して他の端末装置などとの通信を行うことができるように制御したり、有線ＬＡＮインターフェイス２４を介して、ルータ装置１０とＴＣＰ／ＩＰプロトコルでの通信を行ったりする等の無線画像サーバ装置２０全体を制御する制御手段である。
【００４９】
２７ａは切替スイッチ３６により無線画像サーバ装置２０が自動設定モードに場合、有線ＬＡＮインターフェイス２４を介してルータ装置１０からＳＳＩＤや暗号化情報などの各種の無線設定情報を受信し、この無線設定情報を記憶手段２５に記憶する等の自動設定モードの動作制御を行う自動設定制御手段である。
【００５０】
２７ｂは、切り替えスイッチ３６により無線端末装置３０が手動設定モードに場合において、手動設定モードの動作を行う手動設定制御手段である。手動設定制御手段は、無線端末装置３０にコンピュータ装置５０が接続された状態で、コンピュータ装置５０の利用者の操作により、有線ＬＡＮインターフェイス２４を介してアクセスがあると、記憶手段から手動設定用のＷｅｂページを取り出し、コンピュータ装置５０に送信する。また、送信したＷｅｂページ（コンピュータ装置５０の表示画面に表示される）上で、コンピュータ装置５０の利用者が、ＳＳＩＤや暗号化情報などの各種の無線設定情報が設定したときに、コンピュータ装置５０から送信されるこの無線設定情報を受信し、記憶手段に記憶する。
【００５１】
２７ｃは、サーバ制御手段であり、インターネットやローカルネットワークからのアクセスに対し、撮像手段２８で撮像した画像データやその画像データを含むＷｅｂページを送信する等の制御を行う。
【００５２】
２８は撮像手段であり、２９は撮像手段２８で撮像された画像をＪＰＥＧ等の所定のフォーマットに変換する画像取込手段であり、制御手段２６は、画像取込手段２８で取り込まれた画像データを記憶手段２４に記憶したり、ネットワークに接続されたクライアント端末等に送信したりする等の制御も行う。
【００５３】
以上のように構成された本発明の無線装置（ルータ装置１０）について、まず図７のシーケンス図に沿って、無線画像サーバ装置２０の無線設定情報及びネットワーク設定情報の自動設定動作を説明する。
【００５４】
自動設定モードでの動作を行うためには、まず、ルータ装置１０の切替手段１７により、有線ＬＡＮインターフェイス１１ａを自動設定モードに切り替える。また、無線画像サーバ装置２０の切替手段２６により、有線ＬＡＮインターフェイス２４を自動設定モードに切り替える。そして、図５のように無線装置１０の有線ＬＡＮインターフェイス１１ａと無線画像サーバ装置２０の有線ＬＡＮインターフェイス２４を１００ＢＡＳＥ−Ｔ等のケーブルにより接続する。
【００５５】
この状態において、無線画像サーバ装置２０は、自己の電源ＯＮされたとき、リセットスイッチが押下されたとき若しくはプライベートネットワークに接続されたときに、所定の時間（ここでは、３０分間とする）の間、一定間隔で送信時点の無線端末装置のＩＰアドレス、ポート番号などのネットワーク設定情報に加え、ＳＳＩＤや暗号化情報などの無線設定情報の設定内容を含む送信パケットをＵＤＰプロトコルにより、プライベートネットワークに対してブロードキャストする（Ｓ１）。なお、ブロードキャストするこの送信パケットは、図６のようにＵＤＰヘッダ部とデータ部から構成されており、データ部には、無線画像サーバ装置２０のメーカーを識別するために用いられるメーカー識別コード、無線画像サーバ装置２０の製品種類やバージョン情報を識別するために用いられる製品識別コード、無線画像サーバ装置２０に設定されているＩＰアドレス、サブネットマスク、ＤＮＳサーバ、ゲートウェイ、ポート番号等、ネットワーク接続の為に必要な種々のデータ（ネットワーク設定情報）、及びＳＳＩＤ、暗号化方式や暗号化コードなどの無線設定に関するデータ（無線設定情報）により構成されている。
【００５６】
又、ＵＤＰヘッダ部の宛先ポートは、ウェルノウンポート番号０〜１０２３を避けた番号（ここでは、１０６６７）が使用されている。なお、ネットワーク設定情報や無線設定情報は、無線画像サーバ装置２０の記憶手段に記憶されているが、無線画像サーバ装置２０が初期状態の場合には、記憶手段にはＦＦＦＦ・・や００００・・が記憶されているため、そのデータをデータ領域に挿入して送信パケットを生成し、送信する。
【００５７】
ブロードキャストされた送信パケットは、ルータ装置１０により受信され、宛先ポートが所定のポート番号１０６６７であると判断されると無線画像サーバ装置２０からの自動設定の要求であると認識し、自動設定動作を開始する。自動設定は、まず送信パケットのデータリンク層に含まれる送信元ＭＡＣアドレスが記憶手段に存在するかどうかを判断し、存在していなければ、新規設定動作を行う。
【００５８】
一方、ＭＡＣアドレスが既に記憶手段１４に存在している場合には、更新確認動作を行う。
【００５９】
なお、制御手段１６は、送信元ＭＡＣアドレスから、▲１▼無線設定情報のみを送信するのか、▲２▼ネットワーク設定情報のみを送信するのか、▲３▼無線設定情報及びネットワーク設定情報の双方を送信するのかを判断する。無線画像サーバ装置２０は、無線手段のみならずプライベートネットワークの端末として動作する装置であるため、制御手段は、無線設定情報及びネットワーク設定情報の双方を送信することを決定する。なお、上述の▲１▼〜▲３▼の判定は、記憶手段１４に記憶された内容にに基づいて行われる（予め記憶手段１４にＭＡＣアドレスの一部（メーカ識別情報のみ、又はメーカ識別情報とメーカ内固有識別情報の一部）と設定すべき情報とを関連付けて記憶）。
【００６０】
また、記憶手段には、予めＭＡＣアドレスに対して、送信すべき情報（上述の▲１▼▲２▼▲３▼）を関連付けて記憶しているが、ネットワーク上の所定のサーバに対し、定期的にアクセスし、ＭＡＣアドレスに対する送信すべき情報についての内容をダウンロードして、記憶手段に記憶する。
【００６１】
ここで、新規設定動作は、ネットワーク情報の設定と無線情報の設定の２つの設定動作から構成するとして説明するが、ルータ装置１０と無線画像サーバ装置２０間での設定情報はまとめて行うようにしてもよい。
【００６２】
ネットワーク情報の設定は、受信した送信パケットのデータ部に含まれるデータのうち、ＩＰアドレス、サブネットマスク、ポート番号、バンド幅の値を自動設定制御部により変更した後、その他のネットワーク設定に関するデータと共に記憶部に記憶する。値の変更は、ＩＰアドレスを所定範囲のＩＰアドレスのうち使用されていないＩＰアドレスの値になるように、サブネットマスクを所定の値（ここでは、２５５．２５５．２５５．０）になるように、ポート番号を所定の範囲（ここでは、１０００１〜１００２０）のうち使用されていないポート番号になるように、バンド幅を所定の値になるように行われる。このように設定された値は、ネットワーク設定情報として、図９のようにそれぞれの端末装置（画像サーバ装置２０，４０、無線アダプタ装置３０等）のＭＡＣアドレス毎に関連付けられて記憶手段に記憶されている。なお、図９においては、説明を簡略化するためメーカ識別コードやＤＮＳサーバなどは省略している。又、バンド幅とは、無線画像サーバ装置２０がネットワークに送出するデータ伝送速度であり、トラフィックを考慮することができるようになっている。
【００６３】
また、無線情報の設定は、受信した送信パケットのデータ部に含まれるデータのうち、ＳＳＩＤ、暗号化の有り／無し、暗号化方式、暗号化コードの値を自動設定制御部により変更した後、記憶部に記憶する。値の変更は、無線装置のＭＡＣアドレスに基づいて行われる。具体的には、ルータ装置１０の制御手段１６が、自装置のＭＡＣアドレスを取り出して、所定の演算をすることにより、その演算結果を変更すべき値とする。ＭＡＣアドレスは、ユニークなアドレスであるため、ルータ装置１０毎に異なるＳＳＩＤや暗号化コード等が自動生成され、無線通信に使用されることになる。このように変更された値は、無線設定情報として記憶手段に記憶される。なお、暗号化コードについては、送信元ＭＡＣアドレスに基づいて値の変更を行うようにしてもよい。
【００６４】
また、送信元ＭＡＣアドレスに基づいて、自動設定する端末装置がどの程度の通信品質を確保すべきかを判断し、その通信品質のレベルを記憶手段１４に記憶する。具体的には、予め記憶手段１４にＭＡＣアドレスの一部（メーカ識別情報のみ、又はメーカ識別情報とメーカ内固有識別情報の一部）とを画像品質レベルと関連付けて記憶しておき、その記憶内容に従って、自動設定する端末装置の通信レベルを決定する。
【００６５】
記憶手段１４にネットワーク設定情報や無線設定情報の値を記憶したあと、記憶手段に記憶した値を含むネットワーク設定情報を送信パケットに含ませて、ＵＤＰプロトコルを用いて、記憶手段に記憶したＭＡＣアドレスを指定して送信する（Ｓ２）。なお、ＵＤＰヘッダ部の宛先ポートは、ウェルノウンポート番号０〜１０２３及び１０６６７を避けた番号（ここでは、１０６６８）が使用されている。ルータ装置１０からブロードキャストされた送信パケットは、有線ＬＡＮインターフェイスを介して、無線画像サーバ装置２０により受信され、宛先ポートが所定のポート番号１０６６８であると判断されるとルータ装置１０からの自動設定の応答であると認識し、送信される設定情報を無線画像サーバ装置２０の記憶手段２５に記憶する。但し、無線画像サーバ装置２０から自動設定要求の送信パケットをブロードキャストした後所定時間経過した場合には、ルータ装置１０から自動設定要求に対する応答の送信パケットが送られてきても無視する。設定情報を記憶した後、無線画像サーバ装置２０は、表示手段（図示せず）や音声出力手段（図示せず）から自動設定が終了した旨の報知を行い、更にその記憶した設定情報をポート番号１０６６７にブロードキャストする（Ｓ３）。ルータ装置１０の制御手段１６は、無線画像サーバ装置２０から設定情報を受信すると、記憶手段１４に記憶されている無線画像サーバ装置２０に対応する設定情報と、受信した設定情報とが一致するか否かを判定し、一致すると判断すると表示手段１５に自動設定終了の表示をするとともに、音声出力手段（図示せず）から自動設定終了を報知する警告音を出力して、自動設定動作を終了する。
【００６６】
なお、無線画像サーバ装置２０が行う自動設定が終了した旨の報知は、ルータ装置１０が自動設定を終了した後に、ルータ装置１０が送信する自動設定終了メッセージのパケットを受信した後に行うようにしてもよい。
【００６７】
更新確認動作は、受信した送信パケットのデータ部の情報と記憶手段１４に記憶されている情報（送信パケットの送信元ＭＡＣアドレスに対応する情報）とを比較する。比較する対象は、ＩＰアドレス、サブネットマスク、ポート番号、バンド幅の値で、これらが同一の場合には、更新する必要がないと判断し自動設定動作を終了する。比較対象が異なる場合には、記憶手段１４に記憶されている情報（送信パケットの送信元ＭＡＣアドレスに対応する情報）を含む送信パケットをＵＤＰプロトコルを用いて、送信元ＭＡＣアドレスに対して送信する。以下、自動更新の場合と同様の動作であるため、省略する。
【００６８】
自動設設定終了後は、インターネット等の外部ネットワークに接続されたクライアントＰＣ側からルータ装置１０のグローバルＩＰアドレス及び無線画像サーバ装置３０のポート番号を指定することにより（Ｓ４）、ルータ装置１０は、外部ネットワークから送信されるその送信パケットに含まれるポート番号に対応する端末装置があるかどうかを記憶手段１４に記憶した情報から判断し、そのポート番号に対応する端末装置がある場合には、その端末装置（無線画像サーバ装置２０）のＩＰアドレスに対してクライアントからの送信パケットをフォワードする。そして、フォワードされた送信パケットを無線画像サーバ装置２０が受信する（Ｓ５）。なお、通信帯域などの通信品質は、ルータ装置１０の記憶手段１４に記憶された通信品質レベルに従って、通信品質が保持される。
【００６９】
次に、図８のシーケンス図に沿って、無線アダプタ装置の無線設定情報及びネットワーク設定情報の自動設定動作を説明する。
【００７０】
自動設定モードでの動作を行うためには、まず、ルータ装置１０の切替スイッチ１７により、有線ＬＡＮインターフェイス１１ａを自動設定モードに切り替える。また、無線アダプタ装置３０の切替手段３６により、有線ＬＡＮインターフェイス３４を自動設定モードに切り替える。そして、図４のようにルータ装置１０の有線ＬＡＮインターフェイス１１ａと無線アダプタ装置３０の有線ＬＡＮインターフェイス３４を１００ＢＡＳＥ−Ｔ等のケーブルにより接続する。
【００７１】
Ｓ１１〜Ｓ１３の動作については、基本的にＳ１〜Ｓ３の動作と同じであるが、無線アダプタ装置３０の場合、ネットワーク設定情報は不要であるため、ルータ装置１０は、無線設定情報のみ送信する。この動作については、制御手段１６が、無線アダプタ装置３０のＭＡＣアドレスに基づいて判断することになる。また、Ｓ１２において、ルータ装置１０からは無線設定情報のみしか送信されず（ネットワーク設定情報は送信されない）、従って、Ｓ１３においても、無線アダプタ装置３０からは無線設定情報のみしか送信されない。
【００７２】
次に、無線アダプタ装置３０の切替スイッチ３６によって、有線ＬＡＮインターフェイス３４をＬＡＮ動作モードに切り替え、無線ＬＡＮインターフェイスに１００ＢＡＳＥ−Ｔ等のケーブルを介してコンピュータ装置５０に接続する。
【００７３】
そして、Ｓ１４〜１６の動作を行い、コンピュータ装置５０の自動設定が終了する。Ｓ１４〜Ｓ１６までの動作については、基本的にＳ１〜Ｓ３の動作と同じであるが、コンピュータ装置５０の場合、無線設定情報は不要であるため、ルータ装置１０は、ネットワーク設定情報のみ送信する。この動作については、上述のように、制御手段１６が、無線アダプタ装置３０のＭＡＣアドレスに基づいて判断することになる。また、Ｓ１５において、ルータ装置１０からはネットワーク設定情報のみしか送信されず（無線設定情報は送信されない）、従って、Ｓ１６においても、無線アダプタ装置３０からはネットワーク設定情報のみしか送信されない。
【００７４】
また、無線アダプタ装置３０及びコンピュータ装置５０の自動設定終了後の動作については、基本的にＳ４、５の動作と同じであるため省略する（Ｓ１７、１８）。
【００７５】
次に、ルータ装置１０の自動設定モード時の動作について、図１０のフローチャートに基づいて、説明する。なお、図７，８のシーケンスチャートの説明と重複する部分があるため、重複する部分については、一部その説明を省略して説明する。
【００７６】
まず、ルータ装置１０は、ポート番号１０６６７にパケットが受信されたか否かを判定する（Ｓ２０）。送信パケットを受信したと判定すると、制御手段１６は、パケット送信元の装置に対するネットワーク設定情報や無線設定情報などを自動的に生成する（Ｓ２１）とともに、送信元ＭＡＣアドレスに対応付けて、記憶手段１４に生成した設定情報を記憶する（Ｓ２２）。
【００７７】
記憶手段１４への記録が終わると、制御手段１６は、その記憶した設定内容をポート番号１０６６８にブロードキャストし（Ｓ２３）、その後ポート番号１０６６７にＳ２１で設定情報をブロードキャストした装置から設定情報がブロードキャストされるのを待つ（Ｓ２４）。なお、設定情報を送信した装置がＳ２１の装置と同じかどうかは、ＭＡＣアドレスによって判断する。
【００７８】
制御手段１６は、同じ装置から設定情報がきたと判定すると、送信された設定情報と記憶手段１４に記憶されている設定情報とが一致するか否かを判定する（Ｓ２５）。もし、設定情報が一致しなければ、エラー処理を行い（Ｓ２６）、一方、設定情報が同じと判定すると、表示手段１５に自動設定が終了した旨を表示する（Ｓ２７）。
【００７９】
ここで、Ｓ２１における設定情報の自動生成の詳細について、図１１のフローチャートを用いて、説明する。
【００８０】
制御手段１６は、ブロードキャストされた送信パケットから、送信元ＭＡＣアドレスを取り出し（Ｓ３０）、そのＭＡＣアドレスが記憶手段１４に記憶されている所定のものかどうかを判定する（Ｓ３１）。所定のものであると判定した場合、無線設定情報を自動生成（Ｓ３２）し、一方、所定のものでないと判定した場合には、自動設定情報を自動生成（Ｓ３３）するとともに、ネットワーク設定情報を自動生成（Ｓ３４）し、設定情報の生成を終了する。
【００８１】
また、無線設定情報の自動生成については、図１２のフローチャートに沿って説明すると、制御手段１６は、自己のルータ装置１０のＭＡＣアドレスを取り出し、このＭＡＣアドレスを所定の演算することにより、暗号コードなどの暗号情報を自動生成（Ｓ３５）し、更にＳＳＩＤを自動生成（Ｓ３６）する。その後、送信元ＭＡＣアドレスに対応する通信品質レベルを判定し、記憶手段１４にその通信品質レベルをＭＡＣアドレスに関連付けて記憶する（Ｓ３７）。
【００８２】
次に、無線画像サーバ装置２０の自動設定モード時の動作について、図１３のフローチャートを用いて説明する。
【００８３】
まず、制御手段３７は、切替スイッチ３６が自動設定モード側に切り替えられているかどうかを判定する（Ｓ４０）。自動設定モード側に切り替えられていないと判定した場合には、制御手段３７は、通常のＬＡＮインターフェイスとしての動作を行う（Ｓ４１）。即ち、ネットワークに接続されたクライアント端末からのＷｅｂページや画像データの送信要求を受信し、その要求に対応したデータを送信する等の動作を行う状態にする。一方、制御手段３７が、自動設定モード側に切り替えられていると判定した場合には、以降、自動設定制御手段３７ａにより動作制御が行われる。自動設定制御手段３７ａは、有線ＬＡＮインターフェイス３４がネットワークや他の装置に接続されているかどうかを判定する（Ｓ４２）。なお、この判定は、有線ＬＡＮインターフェイス３４でリンクパルスが受信されるかどうかにより行われる。
【００８４】
有線ＬＡＮインターフェイス３４がネットワーク等に接続されていると判定した場合には、記憶手段３５の所定領域の記憶情報（ネットワーク設定情報や無線設定情報）を取り出し（Ｓ４３）、その情報を有線ＬＡＮインターフェイス３４からポート番号１０６６７を指定してブロードキャストする（Ｓ４５）。その後、ネットワーク等からブロードキャストされる設定情報を含む送信パケットを有線ＬＡＮインターフェイス３４で受信（Ｓ４５）し、その送信パケットに含まれるネットワーク設定情報や無線設定情報などの設定情報を記憶手段３５に記憶し（Ｓ４６）、再起動を行う（Ｓ４７）。その後、記憶手段３５の所定領域に記憶された設定情報をポート番号１０６６７を指定してブロードキャスト（Ｓ４７）して自動設定を終了する。
【００８５】
なお、ルータ装置１０は、ポート番号１０６６７に送信パケットがブロードキャストされたことをトリガーとして、自動設定モードに移行するように攻勢してもよく、この場合には、切替スイッチ１７は不要となる。
【００８６】
また、ルータ装置１０、無線画像サーバ装置２０、無線アダプタ装置３０の有線インターフェイスは、各切替手段によって、自動設定モードの切り替えることとして説明したが、通常のＬＡＮ動作をする有線インターフェイスとは別に自動設定専用の有線インターフェイスを設け、切替手段を取り外すことも可能である。
【００８７】
また、図１３では、無線画像サーバ装置２０の動作を説明したが、無線アダプタ装置３０の自動設定モードの動作も基本的に無線画像サーバ装置２０と同様である。
【００８８】
また、本発明の実施の形態では、無線アダプタ装置に接続される装置をコンピュータ装置や有線画像サーバ装置として説明したが、これに限られるものではなく、有線ＬＡＮ接続が可能な装置であれば、ビデオ、テレビ、ゲーム装置等であってもよい。また、無線画像サーバ装置も同様にそれに限られるものではなく、無線ＬＡＮ接続が可能なビデオ、テレビ、ゲーム装置等であってもよい。
【００８９】
【発明の効果】
本発明のよれば、ＳＳＩＤ、暗号化等の無線部の設定やこれらを含めたネットワーク設定を容易に行うことができる無線装置や無線端末装置を提供することができる。また、有線インターフェイスを介しての無線設定情報のやり取りを行うため、無線信号のように外部に傍受されることを防ぐことが可能となる。
【図面の簡単な説明】
【図１】本発明の実施の形態１における無線システムの構成図
【図２】本発明の実施の形態１におけるルータ装置の内部構成図
【図３】本発明の実施の形態１における無線アダプタ装置の構成図
【図４】本発明の実施の形態１における無線画像サーバ装置の構成図
【図５】本発明の実施の形態１におけるルータ装置と無線アダプタ装置（若しくは無線画像サーバ）との間の無線設定情報を自動設定する際の接続図
【図６】本発明の実施の形態１における自動設定のために用いられる送信パケットの構成を示す図
【図７】本発明の実施の形態１における無線画像サーバ装置の設定情報の自動設定動作を示すシーケンスチャート
【図８】本発明の実施の形態１における無線アダプタ装置の設定情報の自動設定動作を示すシーケンスチャート
【図９】本発明の実施の形態１におけるルータ装置の記憶手段に記憶されるネットワーク設定情報の内容を示す図
【図１０】本発明の実施の形態１におけるルータ装置の自動設定モード時の動作のフローチャート
【図１１】本発明の実施の形態１におけるルータ装置の自動設定モード時の設定情報自動生成動作のフローチャート
【図１２】本発明の実施の形態１におけるルータ装置の自動設定モード時の設定情報自動生成動作のフローチャート
【図１３】本発明の実施の形態１における無線画像サーバ装置の自動設定モード時の動作のフローチャート
【符号の説明】
１０  ルータ装置
１１  有線ＬＡＮインターフェイス
１２  ＷＡＮインターフェイス
１３  無線手段
１４  記憶手段
１５  表示手段
１６  制御手段
２０  無線画像サーバ装置
２１  無線送受信部
２２  無線制御部
２３  アンテナ
２４  有線ＬＡＮインターフェイス
２５  記憶手段
２６  切替ＳＷ
２７  制御手段
２７ａ  自動設定制御手段
２７ｂ  手動設定制御手段
２７ｃ  サーバ制御手段
２８  撮像手段
２９  画像取込手段
３０  無線アダプタ装置
３１  無線送受信手段
３２  無線制御手段
３３  アンテナ
３４  有線ＬＡＮインターフェイス
３５  記憶手段
３６  切替ＳＷ
３７  制御手段
３７ａ  自動設定制御手段
３７ｂ  手動設定制御手段
４０  有線画像サーバ装置
５０  コンピュータ装置
【図１】
2004320410.tif 000003
【図２】
2004320410.tif 000004
【図３】
2004320410.tif 000005
【図４】
2004320410.tif 000006
【図５】
2004320410.tif 000007
【図６】
2004320410.tif 000008
【図７】
2004320410.tif 000009
【図８】
2004320410.tif 000010
【図９】
2004320410.tif 000011
【図１０】
2004320410.tif 000012
【図１１】
2004320410.tif 000013
【図１２】
2004320410.tif 000014
【図１３】
2004320410.tif 000015